(57)【要約】【課題】壁体に対する床板の慣性力の影響を抑制できる固定構造を提供する。【解決手段】固定構造Ｓは、壁式構造の建物１における床板３０の固定構造であって、建物１は、床板３０の周縁に配置されるとともに互いの面外方向が交差する少なくとも２つの壁体１０を有し、床板３０は、２つの壁体１０のそれぞれに対して固定具６０によって固定されている。【選択図】図２
2018087419.tif 000002
【特許請求の範囲】
【請求項１】
壁式構造の建物における床板の固定構造であって、
前記建物は、前記床板の周縁に配置されるとともに互いの面外方向が交差する少なくとも２つの壁体を有し、
前記床板は、前記２つの壁体のそれぞれに対して固定具によって固定されている、固定構造。
【請求項２】
前記壁式構造は、複数のブロックが上下方向及び左右方向に連設された組積造であり、
前記壁体は、所定の高さに配置された複数の基準ブロックと、前記基準ブロックの１段上の段を形成する上段ブロックとを含み、
前記固定具は、前記基準ブロックと前記上段ブロックとの間に挟持されて固定される壁側固定部と、室内側に突出して前記床板に固定される床板固定部とを有する、請求項１に記載の固定構造。
【請求項３】
前記床板は、前記２つの壁体のうちの一方の壁体から張り出す梁によって支持されており、
前記梁は、前記固定具とは独立して形成される梁接合金物を介して前記一方の壁体に接合されている、請求項２に記載の固定構造。
【請求項４】
前記床板の上面の高さは、前記基準ブロックの上面の高さと同一であり、
前記固定具は、前記床板の上面と前記基準ブロックの上面とに当接する板状をなしている、請求項２又は３に記載の固定構造。
【請求項５】
前記固定具の前記壁側固定部には、上下方向の一方に突出した突出片が設けられており、
当該突出片は、前記基準ブロックと上段ブロックとの間に形成されたグラウト充填部に収容されている、請求項２〜４のいずれか一項に記載の固定構造。
【請求項６】
前記突出片は、前記壁体の面内方向に延在する板状の第１突出片と、面外方向に延在する板状の第２突出片とを有する、請求項５に記載の固定構造。
【請求項７】
前記固定具の前記壁側固定部には、孔部が形成されており、
当該孔には壁体内において上下方向に延びる補強鉄筋が挿通されている、請求項２〜６のいずれか一項に記載の固定構造。
【請求項８】
前記梁接合金物は、前記基準ブロックと前記基準ブロックの１段下の段を形成する下段ブロックとの間、又は、前記下段ブロックと当該下段ブロックの１段下の段を形成するブロックとの間に挟持される第１片と、
前記第１片に接合され前記壁体の室内側面に当接する第２片とを有し、
前記第２片は前記第１片の上方又は下方に延在している、請求項３に記載の固定構造。
【請求項９】
前記梁接合金物の前記第１片及び第２片は板状であり、
前記梁接合金物は、前記第２片から梁方向に突設した鉛直板状の第３片を有し、
前記梁の端部には、前記第３片を内包するスリットが形成されている、請求項８に記載の固定構造。
【請求項１０】
前記梁の端部には、材軸に直交する方向且つ水平方向に延びる孔部が形成され、
前記第３片には、水平方向を長手方向とする長孔が形成され、
前記梁と前記第３片とは、前記孔部及び前記長孔を貫通するピンによって接合されており、
前記ピンは、前記長孔の長手方向の中間に位置している、請求項９に記載の固定構造。
【発明の詳細な説明】
【技術分野】
【０００１】
本発明は、固定構造に関する。
【背景技術】
【０００２】
従来、壁式構造の建物における床板の設置構造が知られている。例えば特許文献１には、複数のブロックによって形成される壁体と、壁体に設けられる臥梁とを備え、臥梁に固定された支持部材によって床板が支持される構造が開示されている。
【先行技術文献】
【特許文献】
【０００３】
【特許文献１】再表２０１３−０１５３１６号公報
【発明の概要】
【発明が解決しようとする課題】
【０００４】
組積造のような壁式構造の建物では、壁体によって建物躯体にかかる荷重を支持している。このような壁式構造における壁体には、地震時には壁体自体の重量による慣性力に加え壁体が支持している床板の重量による慣性力（以下「床板の慣性力」とする）が作用する。これらの慣性力により壁体は面外方向及び面内方向に変形するが、壁体の面外方向の変形は、面内方向の変形に比べて大きく、建物に与える影響が大きくなる虞がある。
【０００５】
本発明は、壁体に作用する床板の慣性力による壁体への影響を抑制することができる固定構造を提供することを目的とする。
【課題を解決するための手段】
【０００６】
本発明の一側面は、壁式構造の建物における床板の固定構造であって、建物は、床板の周縁に配置されるとともに互いの面外方向が交差する少なくとも２つの壁体を有し、床板は、２つの壁体のそれぞれに対して固定具によって固定されている。
【０００７】
このような固定構造では、床板の慣性力のうち一方の壁体に沿う方向成分の多くは、一方の壁体と床板とを固定する固定具を介して、一方の壁体に対し当該壁体の面内方向に作用する。これにより、他方の壁体の面外方向への作用が低減するので、他方の壁体の面外方向の変形を抑制することができる。同様に、床板の慣性力のうち他方の壁体に沿う方向の成分の多くは、他方の壁体と床板とを固定する固定具を介して、他方の壁体に対し当該壁体の面内方向に作用する。これにより、一方の壁体の面外方向への作用が低減するので、一方の壁体の面外方向の変形を抑制することができる。従って、床板の慣性力の壁体に対する影響を抑制することができる。
【０００８】
また、壁式構造は、複数のブロックが上下方向及び左右方向に連設された組積造であり、壁体は、所定の高さに配置された複数の基準ブロックと、基準ブロックの１段上の段を形成する上段ブロックとを含み、固定具は、基準ブロックと上段ブロックとの間に挟持されて固定される壁側固定部と、室内側に突出して床板に固定される床板固定部とを有してもよい。この場合、壁体に対する固定具の固定度が増し、床板の慣性力のうち壁体に沿う方向の成分を効果的に当該壁体に伝達することができるので、他方の壁体の面外方向の変形を効果的に抑制することができる。
【０００９】
また、床板は、２つの壁体のうちの一方の壁体から張り出す梁によって支持されており、梁は、固定具とは独立して形成される梁接合金物を介して一方の壁体に接合されていてもよい。この場合、床板の垂直荷重は梁を介して梁接合金物に伝達される。そのため、固定具に垂直荷重が作用し難く、固定具の垂直方向の変形を抑制することができる。
【００１０】
また、床板の上面の高さは、基準ブロックの上面の高さと同一であり、固定具は、床板の上面と基準ブロックの上面とに当接する板状をなしてもよい。この場合、床板の上面の高さと基準ブロックの上面の高さとが同一であるため、施工性がよい。また、固定具にせん断力以外の力が作用し難く、床板の慣性力のうち壁体に沿う方向の成分を効果的に当該壁体に伝達することができる。
【００１１】
また、固定具の壁側固定部には、上下方向の一方に突出した突出片が設けられており、当該突出片は、基準ブロックと上段ブロックとの間に形成されたグラウト充填部に収容されていてもよい。この場合、グラウトに対する壁側固定部のズレが抑制され、床板の慣性力のうち壁体に沿う方向の成分をより効果的に当該壁体に伝達することができる。
【００１２】
また、突出片は、壁体の面内方向に延在する板状の第１突出片と、面外方向に延在する板状の第２突出片とを有してもよい。この場合、第１突出片によって壁体の面外方向の変位を効果的に抑制することができ、第２突出片によって床板の慣性力のうち壁体に沿う方向の成分を効果的に壁体に伝達することができる。
【００１３】
また、固定具の壁側固定部には、孔部が形成されており、当該孔には壁体内において上下方向に延びる補強鉄筋が挿通されていてもよい。施工において固定具の位置のずれが生じにくく、施工の精度が高まる。また、固定具周辺の壁体（を構成するブロックやグラウト）が万が一破壊されたとしても、固定具が壁体から引き抜かれ壁体と床板との一体性が損なわれることを防止することができる。
【００１４】
また、梁接合金物は、基準ブロックと基準ブロックの１段下の段を形成する下段ブロックとの間、又は、下段ブロックと当該下段ブロックの１段下の段を形成するブロックとの間に挟持される第１片と、第１片に接合され壁体の室内側面に当接する第２片とを有し、第２片は第１片の上方又は下方に延在していてもよい。この場合、第２片に作用する曲げによる圧縮力は、壁体に直接伝達されやすく、第１片及び第１片との接合部における断面性能及び強度を必要最小限に抑えることができる。
【００１５】
また、梁接合金物の第１片及び第２片は板状であり、梁接合金物は、第２片から梁方向に突設した鉛直板状の第３片を有し、梁の端部には、第３片を内包するスリットが形成されていてもよい。この場合、梁及び梁接合金物に対して床板の慣性力が伝達し難く、梁接合金物の断面性能や強度を必要最小限に抑えることができる。
【００１６】
また、梁の端部には、材軸に直交する方向且つ水平方向に延びる孔部が形成され、第３片には、水平方向を長手方向とする長孔が形成され、梁と第３片とは、孔部及び長孔を貫通するピンによって接合されており、ピンは、長孔の長手方向の中間に位置していてもよい。この場合、梁からの力が梁接合金物を介して壁体に作用することが抑制される。
【発明の効果】
【００１７】
本発明の一側面によれば、壁体に対する床板の慣性力の影響を抑制できる固定構造を提供することができる。
【図面の簡単な説明】
【００１８】
【図１】組積造の建物を示す概略平面図である。
【図２】床板の固定構造を示す断面図である。
【図３】床板の固定構造を説明するための図である。
【図４】床板の固定構造を説明するための図である。
【図５】固定構造を構成する第１梁接合金物を示す図である。
【図６】固定構造を構成する第２梁接合金物を示す図である。
【図７】床板の固定構造を説明するための図である。
【図８】固定構造を構成する固定具を示す図である。
【図９】他の形態に係る梁接合金物を示す図である。
【図１０】他の形態に係る固定具を示す図である。
【発明を実施するための形態】
【００１９】
以下、本発明に係る実施の形態について図面を参照しながら具体的に説明する。便宜上、実質的に同一の要素には同一の符号を付し、その説明を省略する場合がある。
【００２０】
図１は、壁式構造の一例である組積造の建物における、例えば建物内の各階層の床板や屋上部分の床板の構造を概略的に示す平面図である。図１に示されるように、建物１は、壁体１０、梁２０、及び床板３０を含んで構成されている。なお、建物１は、例えば一階建てであってもよいし、二階建て以上であってもよい。本実施形態では、説明の簡単のために平面視矩形状の建物を示しているが、建物の間取り等は自由に変更することが可能である。
【００２１】
建物１は、床板３０の周縁に配置されるとともに互いの面外方向が交差する少なくとも２つの壁体１０を有する。本実施形態の建物１は、平面視矩形に形成されており、互いに対向する一対の壁体１０Ａ、及び、互いに対向する一対の壁体１０Ｂを有している。また、壁体１０Ａと壁体１０Ｂとでは、互いの面外方向が直交している。図示例では、一方の壁体１０Ａ同士の距離が、他方の壁体１０Ｂ同士の距離よりも小さくなっている。換言すると、一方の壁体１０Ａの幅は、他方の壁体１０Ｂの幅よりも大きくなっている。
【００２２】
図２は、建物における床板の固定構造Ｓを示す断面図である。また、図３は、床板の固定構造Ｓを説明するための斜視図であり、梁２０が壁体１０に接合される工程を示している。壁体１０は、左右方向及び上下方向に連設された複数のブロック１１によって形成されている。ブロック１１は、略直方体形状であり、連設する方向において互いに対向する端面１２と、面外方向において互いに対向する側面１３と、上下方向において互いに対向する上面１４及び下面１５と、を有している。
【００２３】
ブロック１１の端面１２には、上面１４から下面１５まで連続して設けられるグラウト材充填用の凹部１２ａが所定の幅をもって形成されている。また、ブロック１１の下面１５には、一方の端面１２から他方の端面１２まで連続して設けられるグラウト材充填用の凹部（グラウト充填部）１５ａが所定の幅をもって形成されている。凹部１２ａと凹部１５ａとは、略同じ大きさの幅をもって形成されている。また、ブロック１１には、上面１４から下面１５へ貫通する断面略円形状の鉄筋挿入孔１４ａが形成されている。鉄筋挿入孔１４ａは、ブロック１１の連設方向に沿って、例えば２カ所又は３カ所に設けられている。
【００２４】
本実施形態では、壁体１０を構成するブロック１１のうち、所定の高さに配置されるブロック１１を基準ブロック１１Ｂとし、基準ブロック１１Ｂの１段上の段を形成するブロック１１を上段ブロック１１Ａとする（図２参照）。また、基準ブロック１１Ｂの１段下の段を形成するブロック１１を下段ブロック１１Ｃとする。ブロック１１の材料は、例えばＡＬＣであるが、これに限定されるものでなく、他の材料を選択してもよい。壁体１０は、地面に設けられた布基礎等の基礎の上に設けられている。
【００２５】
梁２０は、交差して配置される壁体１０のうちの一方の壁体１０の面外方向に延在している。本実施形態では、図１に示されるように、一対の壁体１０Ａ間に複数の梁が掛け渡されている。図３に示すように、梁２０の長手方向の端部には、上面から下面まで延在する２つのスリット２１が長手方向に沿って形成されている。すなわち、梁２０の端部は、２つのスリット２１によって幅方向に３分割されている。図示例では、梁２０の端部のうち、分割された中央部分２２の長さが分割された両端部２３の長さよりも短く形成されている。また、梁２０の端部には、材軸に直交する方向且つ水平方向に延びる複数（図示例では３つ）のピン孔２５が上下方向に所定の間隔で形成されている。ピン孔２５は、梁２０の一方の側面から他方の側面までを貫通している。梁２０は、図２に示されるように、板状の金属プレートによって形成される第１梁接合金物４０及び第２梁接合金物５０を介して壁体１０に接合されている。
【００２６】
図４は、第１梁接合金物を示す図であり、（ａ）は側面図、（ｂ）は底面図、（ｃ）は正面図である。図２、図４に示すように、第１梁接合金物４０は、側面視（断面視）において略Ｌ字状をなし、基準ブロック１１Ｂと下段ブロック１１Ｃとの間に挟持される第１片４１と、第１片４１に接合され壁体１０の室内側の側面（すなわちブロック１１の側面１３）に当接する第２片４６とを有している。
【００２７】
第１片４１は、平面視円形状の円板部４２と、円板部４２から延びて第２片４６に連続する平面視矩形状の延在部４３とを有する（図４参照）。円板部４２の外径は、鉄筋挿入孔１４ａの内径よりも大きく形成されている。また、円板部４２の中心には、鉄筋挿通用の孔部４２ａが形成されている。さらに、孔部４２ａの周辺には、例えば４つの補助孔４２ｂが形成されている。
【００２８】
第１片４１がブロック１１間に挟持された状態において、円板部４２はグラウト材充填用の凹部１５ａ内に配置される。また、円板部４２は、鉄筋挿入孔１４ａを横断するように配置されており、円板部４２の孔部４２ａに補強鉄筋３が挿通されている。図３に示すように、補強鉄筋３には、グラウト材充填前の状態で第１片４１を仮固定するナット３ａ及び上下の補強鉄筋３を継ぐ継手３ｂが取り付けられており、円板部４２は、下段ブロック１１Ｃの上面１４に当接するように、このナット３ａによって下段ブロック１１Ｃ側に締め付けられ得る。鉄筋挿入孔１４ａにグラウトが充填される際には、グラウトは補助孔４２ｂを介して下方に移動することができる。
【００２９】
図４に示すように、第２片４６は、第１片４１の延在部４３の端縁から第１片４１に直交する方向に延在している。第２片４６の幅は延在部４３の幅と同じである。本実施形態では、第２片４６が第１片４１の上方に延在する配置となるように、第１片４１がブロック１１間に挟持されている（図２参照）。第２片４６には、上下方向に離間した位置に例えば２つの接合孔４６ａが形成されている。接合孔４６ａには、第２梁接合金物５０が接合されている。
【００３０】
図５は、第２梁接合金物を示す図であり、（ａ）は側面図、（ｂ）は平面図、（ｃ）は正面図である。図５に示すように、第２梁接合金物５０は、平面視において略コ字状をなし、第１梁接合金物４０の第２片４６に接合される接合片５１と、接合片５１の幅方向の両端から梁方向に突設した一対の第３片５６とを有している。
【００３１】
接合片５１は、第２片４６と略同じ幅を有している。また、接合片５１の上下方向の長さは、第２片４６よりも長く形成されている。接合片５１には、第２片４６の接合孔４６ａに対応する接合孔５１ａが形成されている。接合片５１と第２片４６とは、図示しないボルト等の接合部材によって接合される。図示例では、接合片５１の中央と下端側とに接合孔５１ａが形成されている。本実施形態において、接合片５１と第２片４６とが接合された状態では、第２梁接合金物５０の上端側が第１梁接合金物４０の第１片４１よりも上方に延在している（図２参照）。
【００３２】
一対の第３片５６は、側面視矩形の鉛直板状をなし、互いに離間して対向している。一対の第３片５６同士の間隔は、梁２０に形成された一対のスリット２１同士の間隔と一致している。第３片５６には、上端に形成された切欠状部５７と、切欠状部５７の下方に形成された複数（図示例では２つ）のピン孔５８とを備えている。切欠状部５７及びピン孔５８の上下方向の間隔は、梁２０に形成されたピン孔２５の上下方向の間隔と一致している。ピン孔５８は、上下方向よりも幅方向に長い長孔となっている。切欠状部５７の幅方向の長さは、ピン孔５８の幅方向の長さと同じになっている。
【００３３】
図２に示されるように、梁２０が壁体１０間に掛け渡された状態において、第３片５６は、梁２０の端部に形成されたスリット２１に内包されている。また、梁２０に形成されたピン孔２５と第３片５６に形成された切欠状部５７及びピン孔５８とに金属ピン２６が貫通されている。すなわち、梁２０は、壁体１０に固定された第１梁接合金物４０と接合された第２梁接合金物５０に金属ピン２６を介して支持されている。
【００３４】
また、金属ピン２６は、ピン孔５８の長手方向の中間に位置している。金属ピン２６の外径は、ピン孔５８の上下方向の長さと略同じである。そのため、ピン孔５８内において金属ピン２６はピン孔５８の幅方向に移動可能となっている。なお、梁２０を支持する際には、梁２０の最も上面側に形成されたピン孔２５のみに金属ピン２６を挿通した状態で、当該金属ピン２６を切欠状部５７に係止させ、その後、残りのピン孔２５とピン孔５８とに金属ピン２６を貫通させることが好ましい。壁体１０間に掛け渡された梁２０には、床板３０が支持されている。
【００３５】
床板３０は、例えば平面視矩形状の複数の板材３０ａが千鳥状に敷き詰められて構成されている（図１参照）。図６，７は、床板の固定構造Ｓを説明するための斜視図であり、床板３０が壁体１０に接合されている状態を示している。図６，７に示されるように、本実施形態では、梁２０に支持された床板３０の上面３１の高さは、基準ブロック１１Ｂの上面１４の高さと同一となっている。床板３０は、周縁に配置された壁体１０のそれぞれに対して固定具６０によって固定されている。固定具６０は、第１梁接合金物４０及び第２梁接合金物５０とは独立して形成されている。
【００３６】
図８は、固定具を示す図であり、（ａ）は正面図、（ｂ）は平面図、（ｃ）は背面図、（ｄ）は側面図である。図８に示すように、固定具６０は、平面視略矩形状をなしており、例えば金属プレートによって形成されている。固定具６０は、基準ブロック１１Ｂと上段ブロック１１Ａとの間に挟持されて固定される壁側固定部６１と、室内側に突出して床板３０に固定される床板固定部６６とを有する。
【００３７】
固定具６０の壁側固定部６１には、底面部６２から上下方向の一方に突出した第１突出片６３及び第２突出片６４が設けられている。本実施形態では、固定具６０は、壁体１０の面外方向を長手方向としている。そして、第１突出片６３は、固定具６０の長手方向の一端縁において長手方向に交差（図示例では直交）する方向に延びており、底面部６２から起立して形成されている。
【００３８】
また、第２突出片６４は、固定具６０の幅方向の両端縁において長手方向に沿って延びており、底面部６２から起立して形成されている。図示例では、第２突出片６４は、一対の第１突出片６４Ａ、及び、一対の第２突出片６４Ｂを含んでいる。一対の第１突出片６４Ａは、第１突出片６３が形成された一端側の位置に形成され、一対の第２突出片６４Ｂは、一対の第１突出片６４Ａの位置から長手方向の他端側に離間した位置に形成されている。
【００３９】
固定具６０が基準ブロック１１Ｂと上段ブロック１１Ａとの間に挟持された状態では、第１突出片６３及び第２突出片６４は上段ブロック１１Ａの凹部１５ａに収容されている。また、この状態では、水平面内において、第１突出片６３は壁体１０の面内方向に延在し、第２突出片６４は壁体１０の面外方向に延在している。
【００４０】
固定具６０の壁側固定部６１には、孔部６２ａが形成されている。孔部６２ａは、固定具６０の長手方向において一対の第１突出片６４Ａと一対の第２突出片６４Ｂとの間に形成されている。また、孔部６２ａは、固定具６０の幅方向の中央に形成されている。孔部６２ａには、壁体１０内において上下方向に延びる補強鉄筋３が挿通されている。壁側固定部６１は、基準ブロック１１Ｂの上面１４に当接するように、補強鉄筋３に取り付けられるナット３ａによって基準ブロック１１Ｂ側に締結されている。この状態では、固定具６０の床板固定部６６が床板３０の上面３１に当接している。図７に示されるように、基準ブロック１１Ｂと上段ブロック１１Ａとの間に横補強鉄筋５が延在する場合には、横補強鉄筋５は一対の第１突出片６４Ａと一対の第２突出片６４Ｂとの間に配置される。
【００４１】
床板固定部６６には、固定具６０と床板３０とを固定するための複数の固定用孔６７が形成されている。図示例では、底面部６２に対して千鳥状に配置された８つの固定用孔６７が形成されている。固定用孔６７には、図示しないビスがねじ込まれており、これによって固定具６０と床板３０とが固定されている。このように、梁２０に支持された床板３０は、固定具６０によって壁体１０に固定されている。床板３０の上面３１には、例えば仕上げ材等が設けられる。
【００４２】
以上説明した組積造建物における床板３０の固定構造Ｓでは、床板３０の慣性力のうち一方の壁体１０Ａに沿う方向の成分の多くは、一方の壁体１０Ａと床板３０とを固定する固定具６０を介して、一方の壁体１０Ａに対し当該壁体の面内方向に作用する。これにより、他方の壁体１０Ｂの面外方向への作用が低減するので、他方の壁体１０Ｂの面外方向の変形を抑制することができる。同様に、床板３０の慣性力のうち他方の壁体１０Ｂに沿う方向の成分の多くは、他方の壁体１０Ｂと床板３０とを固定する固定具６０を介して、他方の壁体１０Ｂに対し当該壁体の面内方向に作用する。これにより、一方の壁体１０Ａの面外方向への作用が低減するので、一方の壁体１０Ａの面外方向の変形を抑制することができる。従って、床板３０の慣性力の壁体１０に対する影響を抑制することができる。
【００４３】
ここで、上記した「成分」とは、床板によって発生する慣性力を水平面内で分解した場合のベクトル成分である。２つの壁体が互いに交差している場合、床板によって発生する慣性力は、少なくとも一方の壁体の面内方向に沿ったベクトル成分を含む。そして、本実施形態のように２つの壁体が直交している場合には、一方の壁体の面外方向に沿ったベクトル成分と他方の壁体の面内方向に沿ったベクトル成分とが一致する。すなわち、本実施形態において、床板３０からの慣性力の方向が壁体１０Ａの面外方向に沿っている場合には、その慣性力が壁体１０Ｂの面内方向に一致する。この場合、床板３０からの慣性力が効率的に壁体１０Ｂに伝達される。
【００４４】
また、固定具６０は、基準ブロック１１Ｂと上段ブロック１１Ａとの間に挟持される壁側固定部６１によって壁体１０に固定されている。これにより、壁体１０に対する固定具の固定度が増し、床板３０の慣性力のうち壁体１０に沿う方向の成分を効果的に壁体１０に伝達することができるので、床板３０による壁体１０の面外方向の変形を効果的に抑制することができる。
【００４５】
また、床板３０は、壁体１０から張り出す梁２０によって支持されており、梁２０は、固定具６０とは独立して形成される第１梁接合金物４０及び第２梁接合金物５０を介して壁体１０に接合されている。これにより、床板３０の垂直荷重は、梁２０を介して第１梁接合金物４０及び第２梁接合金物５０に伝達される。そのため、固定具６０に垂直荷重が作用し難く、固定具６０の垂直方向の変形を抑制することができる。また、固定具６０の厚さを小さく形成することができるので、固定具６０をブロック１１間に配置しやすい。
【００４６】
また、床板３０の上面３１の高さは、基準ブロック１１Ｂの上面１４の高さと同一であり、固定具６０は、上面３１及び上面１４に当接する板状をなしているため、固定具６０を配置しやすく、施工性がよい。また、固定具６０にせん断力以外の力が作用し難く、床板３０の慣性力のうち壁体１０に沿う方向の成分を効果的に壁体１０に伝達することができる。
【００４７】
また、固定具６０に設けられた第１突出片６３及び第２突出片６４は、基準ブロック１１Ｂと上段ブロック１１Ａとの間に形成されたグラウト充填部（凹部１５ａ）に収容されている。これにより、グラウトに対する壁側固定部６１のズレが抑制され、床板３０の慣性力のうち壁体１０に沿う方向の成分をより効果的に壁体１０に伝達することができる。
【００４８】
また、壁体１０の面内方向に延在する第１突出片６３によって、壁体１０の面外方向に作用する床板３０の慣性力を効率的に壁体１０に伝達することができる。この場合、互いに対向する一対の壁体１０のうち、一方の壁体１０に向かって慣性力が作用したとしても、対向する他方の壁体１０に慣性力が分散されることになる。これにより、壁体１０の面外方向の変位を効果的に抑制することがでる。また、壁体１０の面外方向に延在する第２突出片６４によって、床板３０の慣性力のうち壁体１０に沿う方向の成分を効果的に壁体に伝達することができる。
【００４９】
また、固定具６０の孔部６２ａには補強鉄筋３が挿通されているので、施工において固定具６０の位置のずれが生じにくく、施工の精度が高まる。また、固定具６０周辺の壁体１０（を構成するブロックやグラウト）が万が一破壊したとしても、固定具６０が壁体１０から引き抜かれ壁体１０と床板３０との一体性が損なわれることを防止することができる。
【００５０】
また、第１梁接合金物４０では、第２片４６が壁体１０の側面に当接しているので、第１梁接合金物４０の第２片４６に作用する曲げによる圧縮力が、壁体１０に直接伝達されやすく、第１片４１、及び第１片４１と第２片４６との接合部における断面性能及び強度を必要最小限に抑えることができる。
【００５１】
また、第２梁接合金物５０に形成された鉛直板状の第３片５６が、梁２０に形成されたスリット２１に内包された状態で、梁２０と第２接合金物とが連結されている。そのため、梁２０、第１梁接合金物４０及び第２梁接合金物５０に対して床板３０の慣性力が伝達され難く、第１梁接合金物４０及び第２梁接合金物５０の断面性能や強度を必要最小限に抑えることができる。
【００５２】
また、梁２０と第２梁接合金物５０とを連結する金属ピン２６は、第３片５６に形成された長孔５６ａの長手方向の中間に位置しているので、梁２０からの力が第２梁接合金物を介して壁体１０に作用することが抑制される。
【００５３】
以上、本発明の実施の形態について図面を参照して詳述したが、具体的な構成はこの実施形態に限られるものではない。
【００５４】
上記実施形態では、第１梁接合金物４０が基準ブロック１１Ｂと下段ブロック１１Ｃとの間に配置されている例を示したが、これに限定されない。例えば、第１梁接合金物４０は、下段ブロック１１Ｃと下段ブロック１１Ｃの１段下の段を形成するブロック１１との間に配置されてもよい。この場合、第１梁接合金物４０の第２片４６が第１片４１の端部から上方に延在するように、第１梁接合金物４０を配置してもよい。
【００５５】
また、第１梁接合金物４０と第２梁接合金物５０とが独立した部材である例を示したが、第１梁接合金物４０と第２梁接合金物５０とは一体的に形成されていてもよい。
【００５６】
また、一実施形態においては、第１梁接合金物４０及び第２梁接合金物５０に代えて、図９に示される梁接合金物１４０を用いてもよい。図９の（ａ）は梁接合金物を示す側面図であり、図９の（ｂ）は梁接合金物を示す正面図である。梁接合金物１４０は、ブロック１１間に挟持され得る第１片１４３と、第１片１４３に接合され壁体１０の室内側の側面に当接する第２片１４６と、梁に形成されたスリットに内包され得る第３片１５６とを有している。第１片１４３は、平面視矩形板状をなしており、幅方向の中央に鉄筋挿通用の孔部１４２が形成されている。第２片１４６は、第１片１４３の端縁から第１片１４３に直交する上下方向にそれぞれ延在している。第２片１４６の幅は第１片１４３の幅と同じである。第１片１４３と第２片１４６との間には補強のためのリブ１４８が設けられている。リブ１４８は、板状をなしており、第１片１４３の下面と第２片１４６の側面とを連結している。図示例では、リブ１４８の厚さ方向と第１片１４３の幅方向とが一致している。第３片１５６は、側面視矩形の鉛直板状をなしている。第３片１５６の厚さは、梁に形成されたスリットの幅と一致し得る。なお、本変形例では、梁に形成されるスリットは一端に一条であってよい。第３片１５６は、上端に形成された切欠状部１５７と、切欠状部１５７の下方に形成された複数（図示例では２つ）のピン孔１５８とを備えている。図示例におけるピン孔１５８は丸孔であるが、上下方向よりも幅方向に長い長孔であってもよい。長孔の場合には梁等の位置調整が行いやすく、丸孔の場合には力の伝達を確実に行うことができる。
【００５７】
また、一実施形態においては、固定具６０に代えて、図１０に示される固定具１６０を用いてもよい。図１０は、固定具を示す図であり、（ａ）は側面図、（ｂ）は平面図、（ｃ）は正面図である。固定具１６０は、平面視略二等辺三角形状をなしている。固定具１６０は、基準ブロック１１Ｂと上段ブロック１１Ａとの間に挟持されて固定される壁側固定部１６１と、室内側に突出して床板に固定される床板固定部１６６とを有する。固定具１６０の壁側固定部１６１には、底面部１６２から起立した一対の突出片１６４が設けられている。突出片１６４は、平面視において壁体の幅方向及び厚さ方向の両方に交差している。そのため、突出片１６４は、壁体の幅方向及び厚さ方向の両方に対する力の伝達を行い得る。図示例では、平面視において略直角二等辺三角形状をなす底面部１６２における一対の斜辺に相当するそれぞれの端縁に突出片１６４が形成されている。固定具１６０が基準ブロック１１Ｂと上段ブロック１１Ａとの間に挟持された状態では、突出片１６４は上段ブロック１１Ａの凹部１５ａに収容される。固定具１６０の壁側固定部１６１には、壁体１０内において上下方向に延びる補強鉄筋３が挿通される孔部１６２ａが形成されている。孔部１６２ａは、固定具１６０の幅方向の中央に形成されている。図示例では、平面視において略直角二等辺三角形状をなす底面部１６２における直角側に孔部１６２ａが形成されている。平面視矩形状をなす床板固定部１６６には、固定具１６０と床板３０とを固定するための複数（図示例では３箇所）の固定用孔１６７が形成されている。図示例では、固定用孔１６７は壁体１０に沿って一列に形成される。固定用孔１６７に図示しないビスが打ち込まれることによって、固定具１６０と床板３０とが固定され得る。一列に配置された固定用孔１６７によって、床板３０から壁体１０への力の伝達の際に発生するモーメントを低減させることができる。
【符号の説明】
【００５８】
１…建物、１０，１０Ａ，１０Ｂ…壁体、１１…ブロック、１１Ａ…上段ブロック、１１Ｂ…基準ブロック、１１Ｃ…下段ブロック、１４…上面、１５ａ…凹部（グラウト充填部）２０…梁、２５…ピン孔（孔部）、２６…金属ピン（ピン）、３０…床板、３１…上面、４０…第１梁接合金物、４１…第１片、４６…第２片、５０…第２梁接合金物、５６…第３片、５８…ピン孔（長孔）、６０，１６０…固定具、６１，１６１…壁側固定部、６６，１６６…床板固定部、６３…第１突出片、６４…第２突出片、１４０…梁接合金物、１４３…第１片、１４６…第２片、１５６…第３片、１６４…突出片。
【図１】
2018087419.tif 000003
【図２】
2018087419.tif 000004
【図３】
2018087419.tif 000005
【図４】
2018087419.tif 000006
【図５】
2018087419.tif 000007
【図６】
2018087419.tif 000008
【図７】
2018087419.tif 000009
【図８】
2018087419.tif 000010
【図９】
2018087419.tif 000011
【図１０】
2018087419.tif 000012